(57)【特許請求の範囲】
【請求項１】
自家用車を使用しない、都市区域内の人々の総合輸送システムにおいて、
停車駅（Ｓ）及び路線の交叉部にある乗換駅（Ｃ）が路線に沿って配置されている複数の路線（Ｍ１、Ｍ２．．．）を有する公共交通機関網と、
同一命令手段によって動作させられる施錠／開錠システム及び起動システムを備えている自動車（５）の一群であって、前記自動車（５，５１）は、命令手段として機能する利用者自身の個人化車両利用証（８）を各々有している利用者群に利用可能になされている、一群の自動車（５）と、
前記公共交通機関網の内の少なくとも複数の停車駅（Ｃ）から短い距離に各々位置する複数の自動化駐車建造物（Ｔ）と
を有しており、前記短い距離は、２つの路線の乗換え時間と同程度の時間内での徒歩移動距離に対応しており、
各自動化駐車建造物（Ｔ）は、利用可能な個々の自動車を各々駐車させる複数の重ねられる保管ボックス（１）を具備しており、各保管ボックス（１）は、２つの垂直で互いに平行なコラム（１１、１１’）を形成しており、各自動化駐車建造物（Ｔ）は更に、入出庫プラットホーム（４）と、前記２つのコラム（１１、１１’）の前記保管ボックス（１）を増分的に垂直に移動させる機構（３）とを具備しており、前記入出庫プラットホーム（４）は、前記保管ボックスの第１のコラム（１１）の前の戻しレーン（４１）と、前記保管ボックスの第２のコラム（１１’）の前のピックアップゾーン（４２）とを有しており、前記機構（３）は、前記入出庫プラットホーム４の高さに、前記第１のコラムの空の保管ボックス（１３）を位置付け、前記ピックアップゾーン（４２）において前進させられる利用可能な自動車を収容した保管ボックス（１２）を前記第２のコラム（１１’）に位置づけるように制御され、
前記個人化車両利用証（８）の各々は、自動車（５）の内のどの自動車でも施錠／開錠及び起動を命令する手段を有しており、且つ前記複数の自動化駐車建造物（Ｔ）の内のどの自動化駐車建造物にも入ることができ、自動化駐車建造物（Ｔ）の前記ピックアップゾーン（４２）で自動車をピックアップし、個々の移動のために使用した後に、どこかの自動化駐車建造物（Ｔ）に前記戻しレーン（４１）に自動車（５１）を戻すことができる認証手段を構成しており、前記個人化車両利用証（８）の各々は、カード保有者の、走行距離又は経過時間に応じた自動車（５）の利用に対する支払手段も構成しており、
利用可能な自動車（５）を収容している前記自動化駐車建造物（Ｔ）が、２つの路線の間の移動のために利用者がいつでも自動車を利用し且つ戻すことできるようにして公共交通機関網を補う補完手段を構成するように、
公共交通機関網の乗換駅（Ｃ）から、当該乗換駅（Ｃ）から前記短い距離に位置する第１の自動化駐車建造物（Ｔ）に移動し、
当該第１の自動化駐車建造物（Ｔ）の前記ピックアップゾーン（４２）に予め置かれている自動車（５１）をピックアップし、その自動車（５１）がピックアップされた後の前記ピックアップゾーン（４２）には、新しい利用可能な自動車（５２）が直ぐに置かれ、
前記都市区域内における利用者の自動車での移動後、前記都市区域内の別の場所に設置されている第２に自動化駐車建造物（Ｔ）の前記戻しレーン（４１）に自動車（５１）を戻し、その第２に自動化駐車建造物（Ｔ）において、その戻された自動車（５１）は前進させられて、前記入出庫プラットホーム（４）の高さの空の保管ボックス（１３）に案内され、
その戻された自動車（５１）を収容している保管ボックス（１３）は、前記第２に自動化駐車建造物（Ｔ）内の前記機構（３）によって上昇させられて、新しい自動車を収容できる空の保管ボックスと直ぐに置き換えられる
ことを特徴とする総合交通システム。
【請求項２】
前記個人化車両利用証の各々は、個人アクセスコードを有するスマートカード（８）で構成されており、前記スマートカード（８）は、コードの認証の後、カード保有者が、自動車をピックアップし更には使用に対する支払いをするために必要な全操作を実行することができるようにプログラムされていることを特徴とする請求項１に記載の総合交通システム。
【請求項３】
前記個人化車両利用証（８）は、一方で、前記公共交通機関網（Ｒ，Ｍ）を利用する認証手段として、他方で、前記自動化駐車建造物（Ｔ）及び前記自動車（５）を利用する認証手段並びに使用に対する支払い手段として機能するようにプログラムされているスマートカードであることを特徴とする請求項２に記載の総合交通システム。
【請求項４】
前記自動化駐車建造物（Ｔ）へのアクセス並びにその中の自動車の利用は、その利用の全ての認証を得るために携帯電話又はインターネットサービスによってアクセス可能な中央制御システムによって認証されることを特徴とする請求項１から３の何れか一項に記載の総合交通システム。
【請求項５】
前記自動化駐車建造物（Ｔ）が設置されている土地に適した高さに地上部分（２４）がなるような深さに埋め込み部分が埋め込まれているタワー状の建物の内部に前記自動化駐車建造物（Ｔ）が設置されていることを特徴とする請求項１に記載の総合交通システム。
【請求項６】
前記公共交通機関網の利用者が、前記都市区域内において利用者自身の旅程を選んで移動できる前記公共交通機関網の補間手段を構成する利用可能な自動車を何時でも発見できるように、前記自動化駐車建造物（Ｔ）の数及び各自動化駐車建造物の収容ボックス内に収容される利用可能な自動車の数は、予測利用頻度に基づいて決定されていることを特徴とする請求項１に記載の総合交通システム。
【請求項７】
前記都市区域は、中心部が周辺の郊外地域で囲まれており、領域的な公共交通機関網（Ｒ１，Ｒ２、．．．）が利用可能であり、前記公共交通機関網の少なくとも或る数の乗換駅には、利用可能な自動車を収容した自動化駐車建造物（Ｔ’１，Ｔ’２、．．．）が設けられており、領域的な公共交通路線（Ｒ１）を利用する利用者は、停車駅の出口で、当該停車駅の近くに位置している駐車建造物（Ｔ）の自動車（５）をピックアップして利用者自身の旅程を個別に続行して別の路線（Ｒ４）の停車駅に行き、その停車駅の近く位置している別の駐車建造物（Ｔ）に自動車（５）を戻すことができることを特徴とする請求項１から６の何れか一項に記載の総合交通システム。
【請求項８】
前記地域の内の、前記公共交通機関網の停車駅を利用できない区域に自動化駐車建造物（Ｔ’１，Ｔ’２、．．．）が設けられており、それら自動化駐車建造物は、利用者が、自動化駐車建造物の内の１つに徒歩で速やかに行くことができて、自動車をピックアップでき、自動車を受け入れる駐車建造物が設けられている乗換駅又は利用者の目的地近くの別の駐車建造物に自動車を戻すことができるように分散されていることを特徴とする請求項１から７の何れか一項に記載の総合交通システム。
【請求項９】
前記地域は、少なくとも２つの都市区域からなり、各都市区域には、自動化駐車建造物を有する公共交通機関網が設けられており、前記２つの都市区域は、自動車（５）の利用に適した距離離れており、一方の都市区域内の又は一方の都市区域から他方の都市区域へ自動車（５）を利用して移動可能であることを特徴とする請求項１から８の何れか一項に記載の総合交通システム。
【請求項１０】
前記地域は、都市区域の中心部の周りで、公共交通機関網の停車駅にそれぞれ近くに、大量の自家用車を駐車させられる地上駐車場（Ａ１，Ａ２，．．．）が設けられており、公共交通機関網の前記停車駅の各々には、前記自動化駐車建造物（Ｔ’１，Ｔ’２、．．．）が設けられており、地上駐車場の一つ（Ａ１）に自家用車を駐車させた後、利用者は、その目的地に応じて、公共交通機関網の路線（Ｒ１）又は近くに位置している前記自動化駐車建造物（Ｔ’１）から自動車（５）をピックアップして、公共交通機関網を利用できない地域（Ｐ’２）内の目的地に行き、その目的地近くの別の自動化駐車建造物に自動車（５）を戻すことができることを特徴とする請求項１から９の何れか一項に記載の総合交通システム。
【請求項１１】
前記自動化駐車建造物は立体式であり、自動車保管スペースとして機能し且つチェーンドライブ（３）から吊下げられている複数の重ねられた保管ボックス（１）を具備しており、各保管ボックス（１）は、ボックスが垂直軸に沿って吊下げることができる取り付け手段によって前記チェーンドライブに取り付けられ、２つの回転スプロケット（３１、３２）の間の中間レベルの入出庫プラットホーム（４）に位置する戻しレーン（４１）とピックアップゾーン（４２）との間を通る２つの垂直なコラム（１１、１１’）をなすように保管ボックス（１）の変位を制御するように、前記チェーンドライブは、２つの平行な水平軸（３０、３０’）の周りを回転する２つの互いに離れたスプロケット（３１、３２）の間に張られており、前記チェーンドライブ（３）の回転は、自動車を収容しているボックス（１２）が利用者によるピックアップのために入出庫ゾーン（４）のレベルに到達した瞬間に又は利用者が自動車を戻すために空のボックス（１３）が入出庫ゾーン（４）のレベルに到達した瞬間に停止することを特徴とする請求項１から１０での何れか一項に記載の総合交通システム。
【請求項１２】
前記自動車は、バッテリーの電気で駆動されるようになされており、各保管スペース（１）には、前記自動車のバッテリーを充電する手段（２３）が設けられており、前記自動化駐車建造物の各々に収容される自動車の数は、前記自動車のバッテリーを充電するために必要な時間を確保するために予想利用頻度に適合していることを特徴とする請求項１から１１までの何れか一項に記載の総合交通システム。
【発明の詳細な説明】
【技術分野】
【０００１】
本発明は、公共輸送網を完璧なものにするように、所与の住民の自由使用のために置かれた一群の自動車（乃至は自律移動体）によって、限られた領域、特に都市部内の人々の個別的な及び総合的な輸送のためのシステム及び方法に関するものである。
【背景技術】
【０００２】
現在、密度の高い都市領域は、ますます汚染されており、自家用車が走り回ることによってますます混雑している。この問題を解決するために公共輸送システムが開発された。
【０００３】
しかし、通常の道路システムを使用するバス輸送も依然として汚染源であり、移動速度が低い。その理由は、確保されているバスレーンを利用した場合でも、少なくとも交差点において自家用車による妨げを受けて、その結果、平均速度は比較的低いまま止まるためである。
【０００４】
例えば地下鉄のような地下輸送システムは、汚染源にはほとんどならず、且つその移動速度は良好である。しかし、たとえ密度の高い地下鉄システムが20世紀の初めにいくつかの都市で建設できたとしても、その延長には非常に費用がかかり、或る限られた線しか又は既存の鉄道線を利用する場合しか延長することができない。更に、都市の拡大は、家庭と仕事場との間を移動する人々の移動距離を長くしている。
【０００５】
都心へのアクセスを容易にするために、多くの場合既存の鉄道線を利用して、地域的な輸送システムが構築されている。しかし、鉄道線は、多くの場合都心から放射状に延びるように組織されており、周辺の町や郊外の地域同士を結ぶ周辺の鉄道が存在することは稀である。
【０００６】
従って、自家用車を使用することは、多くの人々にとって、少なくとも地域的な公共輸送網にアクセスするために必要な輸送手段であり、そのため、車両の駐車場を建設しなけばならず、それは、駐車する車両の数に見合う広大な土地が必要とされるために、市区町村にとって大きな費用負担になる。
【０００７】
立体駐車場をつくったとしても、アクセスランプが必要であり且つ各階に循環通路が必要であり、結果として、各駐車車両毎の必要スペースは、２５ｍ2を必要とする。従って、立体駐車場は、相当量のスペースを占有することになり、地面で考えても、都市部の地価を考慮すれば、有益性があると言うには余りに高価である。土地に係る状況が許容可能な都市においては、地下駐車建造物を作るために公共財産を利用できるが、駐車可能な車両の数が不十分であり且つ費用がかかり過ぎる。
【０００８】
更に、このように使われる自家用車は、ほとんどの時間、地上に静止したままである。
【０００９】
何れにしても、自動車交通量の増加及びその結果としての環境汚染の深刻化を考えると、自家用車の乗り入れを制限するとか、都市中心部に課金システムを導入して自家用車の利用を制限するとかのような過激と言うこともできる新しい解決策を捜すことが必要である。
【００１０】
より遠隔から来ている通勤者のために、都心へのアクセスできる公共交通機関への乗換え駅に近い都市周辺部に大きな駐車領域を建設することができる。一方、公共交通機関網は、十分な密度を有していることは稀であり、しばしば、人々は最終目的地に到達するために長い距離を歩くことが必要である。
【００１１】
都市中心部の回り都市化した市町村の間に環状線を作ったとしても、公共交通機関の可能性は常に制限され、実現するに非常に費用が掛かる。従って、多くの場合、自家用車への依存は必要である。
【００１２】
他の選択肢はタクシーを利用することである。しかし、タクシーを見つけることが困難なほどタクシーが少ない特に都市中心より外側では、タクシー利用は困難になる。
【００１３】
我々が自家用車の利用を避けたい場合、もう１つの可能性は、例えば鉄道の駅又は空港に近くのレンタカー店からの車を借りて、最終的に、別のレンタカー店に借りた車を返すことである。しかし、このシステムは、むしろ高価であり、遠い都市間の長い距離移動の場合及び1日以上の期間の利用の場合のみ、実用的であるかもしれない。
【００１４】
自家用車の利用の必要なく、限られた地域内の人々の移動を容易にするために、自動車の共同利用（カーシェアリング）システムが提案されている。
【特許文献１】ＥＰ-Ａ-０９９１０３１
【００１５】
例えば、特許文献ＥＰ-Ａ-０９９１０３１は、遊園地内の異なる目的地の間の個人の移動を可能にする共同利用システムを開示している。この種類の公園は明らかに自家用車の使用を禁止しており、そして、シャトルシステムの利用は、アトラクション会場とアトラクション会場との間に移動できるようにしているが、一方、そのたびに長い待ちが必要である。従って、この文書は、各場所で複数の車両が利用可能であるように、ホテルに隣接して設けられた駐車場及び公園内の様々なアトラクション会場に隣接して設けられた駐車場の間に分散された独立した車両の共用システムを提案している。各来場者は、駐車場への入場を許可する制御システムにリンクされた車両利用許可証を取得して、来場者は、車両を駐車場から出して、アトラクション会場への移動手段として車両を利用し、そのアトラクション会場に、その車両を駐車することもでき、その後、その車両を他の来場者が利用することもできる。この方法では、来場者が、公園に滞在の間中車両を借りて、その来場者が各アトラクション会場にいる間中そのアトラクション会場にその車両が停車させたままにするのではなく、或るアトラクション会場に駐車させた車両を、そのアトラクション会場から出て行く別の来訪者が直ぐに利用することができる。この場合、用意する車両の数並びに各駐車場の大きさは、各来訪者がアトラクション会場から出てゆくときに来訪者自身の裁量で車両を発見できるように、来訪者の数と各アトラクションの公演時間の長さとに応じて計算できる。
【発明の開示】
【発明が解決しようとする課題】
【００１６】
本発明者は、都市部での車両の循環を効率的にするための車両の収容及び共同利用のための総合的なシステムを創造するアイデアを持った。そのアイデアでは、公共交通機関網を補う手段として一群の自動車の利用を可能にし、何時でも利用者自身の裁量で車両を有することが保証されている利用者は、都市中心部で利用者自身の自家用車を利用しなくなるであろうし、又は、その利用者が都市の外から来た人である場合には、都市周辺部に利用者自身の自家用車を駐車させておくことを受け入れ、ここに提案する総合的輸送機関を利用するであろう。
【００１７】
本発明者は、その目的のためには、沢山の条件が満足されねばらないことは理解している。
【００１８】
まず第一に、公共交通機関について始めた研究によれば、短い距離でない限り徒歩での移動は、大多数の利用者にとって受容れ難いことがわかった。例えば、ローカルな輸送機関網の間や地域的な輸送機関網との間に接続されている高密度な公共交通機関網の便利さを享受しているパリ（又は他の類似した大都会）のような都市においては、利用者は、（動く歩道が利用できない限り）４、５分又は３００ｍから最大５００ｍを越える徒歩での乗換え時間を我慢することは困難と思われた。
【００１９】
カーシェアリングシステムで公共交通機関網を補って完全なものにするためには、車両を収容する駐車用車庫が接続駅の直ぐ近くに位置している必要がある。
【００２０】
これにより、非常に沢山の駐車用車庫を、空き地が乏しく且つ地価が非常に高い都市領域全体に分布させることができる。
【００２１】
更に、各利用者が、開いている車両を直ぐにも見つけたいであろうし、そして、遊園地での利用者の数よりはるかに大きいであろう利用者の数を考えるならば、各車庫は、沢山の車両を収容できなければならないであろうし、実際上は、システムがサービスを提供する公共交通機関の乗換駅にもよるが、１５〜２０の車両を収容できなければならないであろう。
【００２２】
同時に、車両を返す各利用者は、可能な限り最短の時間で公共交通機関に乗換えることができるように、非常に速く車を返したいであろう。
【００２３】
従って、本発明の目的は、上記した問題の全てを解決する、カーシェアリングシステムを利用した個々の及び総合的な輸送の新しい方法を提供することである。
【００２４】
本発明によるならば、複数の停車駅が存在し、異なる路線が合流するところに乗換駅が設けられている公共交通機関網がある大都市圏である領域において、上記公共交通機関網の少なくとも複数の所定の乗換駅から徒歩数分の短い距離に駐車用建造物を設置し、上記駐車用建造物は、最小の土地面積で少なくとも１０台以上の自動車を収容できる垂直移動形式であり、各駐車用建造物は、戻り車両が直ぐに入庫できる少なくとも１つの入口スペースと、利用者が直ぐに利用可能な待ち車両が駐車している出口スペースとを有しており、上記自動車は、いつでも利用者が、上記公共交通機関網の乗換駅の出口で車両を借り出して、その車両をそれぞれの移動のために使用し、そして、その車両を、公共交通機関網による利用者の移動を更に続けるための乗換駅の直近に位置する駐車用建造物の入口のオープンスペースに戻すことができる、公共交通機関網を完全なものにする補完手段である。
【００２５】
上記した目的のために、本発明の好ましい実現手段によるならば、自動化された各駐車用建造物は、入口スペースの１台以上の車両を入庫して、１台以上の車両を戻せるように１つ以上の空きスペースが直ちに利用できるように上昇するコラムと、一人以上の先行する利用者により車両が既に出庫された後に、出口パレットにおいて一人以上の利用者が出庫できるように新たな１台以上の利用可能な車両を直ちに利用できるように下降するコラムとの２つのコラムに沿って駐車パレットが垂直に移動する立体駐車場形式である。
【００２６】
従って、本発明は、大都市圏の人々の輸送するための総合的なシステムを提供する。当該システムは、
個々の停車駅と輸送路線が交差する乗換駅とを有する少なくとも１つの公共交通機関網と、
利用者群の利用に供される自動車群であって、各自動車は、当該自動車に乗り且つ運転するためのキーシステムが設けられており、一方、利用者群の各利用者には、上記自動車を運転する権利を付与する個人化された（personalized）車両利用証が付与されている。
上記公共交通機関網の内の特定な複数の停車駅の近くに配置された複数の自動化駐車建造物であって、各自動化駐車建造物が、最小の土地面積で少なくとも１０台以上の自動車を収容できる立体式であり、且つ、使用された後の１台以上の自動車を即座に入庫するための少なくとも１台分以上の空きスペースと、１人以上の利用者が出庫して利用可能な１台以上の自動車を収容したスペースとを地上レベルに有している、複数の自動化駐車建造物とを具備しており、
大都市圏又は都市の周辺部又は郊外の地区内の目的地に通う必要がある各利用者は、その行程の一部に公共交通機関網を利用し、その行程の他の部分に、自動車を利用して通うことができ、徒歩での移動を最小にし、且つ、自動車のピックアップ（出庫）及び戻し（入庫）のための待ち時間が短くできるものである。
【００２７】
効果として、駐車建造物の下方部を、入庫及び出庫のレベルより下に埋め込んで、建造物の地上高さを減少することができる。
【００２８】
本発明の好ましい別の特徴によれば、電気自動車又はハイブリッド自動車を使用して、各車両収容スペースには、車両が駐車建造物に収容されている間に車両のバッテリーを再充電するための手段が設けられる。
【００２９】
本発明の好ましい更に別の特徴によれば、各個人化車両利用証は、自動車が使用される時間量又は走行距離に従って、車両を利用する個人化車両利用権保有者のための支払い手段を構成する。
【００３０】
好ましくは、各個人化車両利用証は、個人化された（personalized）コードを有するスマートカードからなり、その個人化されたコードを入力すると、カード保有者が、車両を借り出すために必要な全操作を実行でき、且つ車両を利用するための支払いもできるようにプログラムされている。更に、スマートカードは、或る期間中の或る領域全体に亘る公共交通機関の利用券として利用することもできる。
【００３１】
本発明は、都心の自動車交通を減少させるだけでなく、潜在的に自動車交通を解消する利点を有している。本発明は更に、公共交通機関システムを通常殆ど恩恵を利用できない辺鄙な郊外を含む大都市圏全体に適用することができる。
【００３２】
特に効果的な別の特徴によれば、都市中心が、領域的な輸送網を利用できる環状郊外地域で囲まれている大都市圏の場合、その領域的な輸送網の少なくとも或る数の駅に、複数の待ち車両が収容されている自動化駐車建造物を設けて、領域的な輸送網を利用する利用者が、駅に降りたら直ぐに車両を利用して、最終目的地に係わりなくその旅程を続けて、そして、車両を借り出した自動化駐車建造物か又は最終目的地に近い自動化駐車建造物に車両を戻すことができる。
【００３３】
特に、領域的な輸送網の路線が互いに遠く離れている通常の場合、領域的な輸送網を直接利用できない区域に、自動化駐車建造物に徒歩で容易に行けるように複数の自動化駐車建造物を分散配置して、利用者が車両を借り出して、その車両を受け入れることができる自動化駐車建造物が設けられている領域的な輸送網の駅、又は最終目的地に近い別の自動化駐車建造物に戻すことができる。
【００３４】
しかし、本発明は更に、大都市と、比較的大きな距離離れているが自動車の走行範囲に適している小さな周辺都市との間の接続を容易にする。その場合、小さな周辺都市には、都市の規模に応じて１つ以上の自動化駐車建造物を設けて、利用者が大都市の輸送システムに行くことができ、又は自家用車を使用せずに他の周辺都市に行くことができる一方、その旅程を済ますにかかった時間分だけの支払いで済むようにできる。
【００３５】
本発明の他の有利な特徴は、非限定的な例として示す都市輸送システムについての、添付図面を参照した以下の説明から明らかになる筈である。
【００３６】
図１は、複数の公共交通機関網を備えている都市の例を模式的に図示しているものであり、例えば地下鉄線又は地表鉄道線Ｍ１、Ｍ２、．．．Ｍｉに沿って停車駅Ｓ及び乗換駅Ｃが位置しており、コミュータ鉄道線Ｒ１、Ｒ２に駅Ｇ１、Ｇ２が位置している。
【００３７】
従来の交通システムでは、地点Ｐ１にいて、地点Ｐ２に行くために公共交通機関を利用した利用者は、最も近い駅Ｓ１に行き、路線Ｍ１を利用して乗換駅Ｃ１まで行き、次いで、路線Ｍ４に乗換えて、地点Ｐ２に最も近い駅Ｓ２まで行く。もし利用者は、旅程時間が余りに長いと判断すれるならば、利用者はタクシーを呼んで地点Ｐ１から地点Ｐ２へ直接行くことができる。しかし、交通費が高くなる。
【００３８】
更に、同一利用者が、地点Ｐ２に到着した後、更に例えば地点Ｐ３に行くかもしれない。地点Ｐ２と地点Ｐ３との距離は徒歩で行くにはあまりに遠く、利用者は、駅Ｓ２まで戻り路線Ｍ４に乗って乗換駅Ｃ２まで行って、路線Ｍ５に乗換え、更に駅Ｃ３で路線Ｍ２に乗換えて、目的地点Ｐ３に最も近い駅Ｓ３で降りなければならない。
【００３９】
このような移動行程は、本当に長く且つ複雑であり、徒歩で移動し且つ長い待ち時間が必要な乗換駅の沢山な乗換えを必要とする。
【００４０】
一方、以下に説明する本発明によるシステムによれば、移動時間を短縮でき、乗換え地点での待ち時間を短くして公共交通機関を補う手段となる個人的な移動手段を利用者が利用できるより簡単な移動手段が実現できる。このシステムにおいて、該当領域に、好ましくは公共交通機関の乗換駅近く、又は他の戦略的な場所に、或る数の例えば１５〜２０以上の自動車が収容される或る数の自動化駐車建造物Ｔ１、Ｔ２、．．．Ｔｉが設けられる。
【００４１】
このような方法によれば、地点Ｐ１から路線Ｍ２に乗車した利用者は、乗換駅Ｃ１で降りて、その乗換駅Ｃ１に近い駐車建造物Ｔ２で車を探し、自由に利用者自身の旅程を選んで地点Ｐ２に移動し、更に、同じ車で、利用者の第２の目的地Ｐ３に向かって移動を続けて、その後、自動化駐車建造物Ｔ３に車を預けて、公共交通機関の乗換駅Ｍ２に行き、乗換駅Ｃ４で乗換えて路線Ｍ１で駅Ｓ１に戻る。
【００４２】
しかし、個々の旅程の各々が各人に利用可能な移動手段によってなされる範囲において、利用者は、複数の選択肢から選択できる。例えば、利用者は最初の駅Ｃ４で路線Ｍ１を降りて、最も近い駐車建造物Ｔ１で車をピックアップして、利用者自身の旅程を自由に選択して、地点Ｐ２及びＰ３を通って移動して、最終的に駐車建造物Ｔ１に戻って、車を戻し、利用者が来た同じ路線Ｍ１に戻る。
【００４３】
従って、本発明によるシステムによれば、好ましくは大量輸送システム又は駅、商業ゾーン、病院、大学又は多様な様式の乗換えプラットホームのような都市内の他の戦略地点に近く、領域全体に亘って分布した沢山の駐車建造物に非常に多数の車両が用意されるならば、アクセスカードを購入した多数の人々が利用可能な範囲で、タクシー又は普通のレンタカーに比較して適切な価格で利用者に非常に多岐に亘る自由自在性をもたらすことができる。
【００４４】
上述したように、自家用車の走行を減らすために、我々がすでに指示を出した、利用者が利用できるようにされた自動車は、大量輸送システムを本当に補完する必要があり、そして、全領域に分布される自動化駐車建造物は、車の出庫及び入庫を迅速にできて、乗換えに伴う全時間量が数分で済ませることができねばならない。
【００４５】
かかる目的のために、使われる自動化駐車建造物は、図２から図６に模式的に図示している立体式である場に合特に有利である。
【００４６】
この形式の駐車建造物は、タワーの形の建物２内部に２つの平行なコラム１１、１１’を構成しているボックス１又は保管パレットを積み重ねた組立体を一般に具備している。その建物２内部には、図４に模式的に図示する機構３が、ボックス１を動かすように保持している。
【００４７】
この機構は、タワー２の頂部及び底部にそれぞれ置かれた２つのスプロケット３１及び３２の間に張られたチェーンドライブ３から成り、２つのスプロケット３１及び３２は、モータ（不図示）によって水平軸３０及び３０’のまわりを回転するようになされている。
【００４８】
従って、チェーンドライブ３が、２つの平行な垂直部分、それぞれ上昇部分３３及び下降部分３３’からなり、嵌め込み手段３５によってチェーン３に対して直角に保持されたアーム３４が取り付けられている。
【００４９】
各ボックス１は、その上部が、アーム３４の自由端３６に、吊下げ懸架を可能にする関節継手によって取り付けられている。
【００５０】
この方法により、図４に図示するように、チェーンドライブ３の２つの平行な垂直部分３３及び下降部分３３’に沿って、アーム３４は水平に延びており。ボックス１は、２つの平行で垂直なコラム１１、１１’に沿って重ね合わされている。スプロケットホイール３１及び３２が回転させられると、コラム１１のボックスは、頂部に向かって垂直に移動し、コラム１１’のボックスは底部に向かって垂直に移動する。スプロケットホイール３１及び３２の周りを通るとき、アーム３４が軸３０及び３０’の周りをまわるときはアーム３４は半径方向に向いたままであり、一方、ボックスは、吊下げられているので、水平状態を維持している。
【００５１】
上昇コラム１１及び下降コラム１１’との間の平衡を維持するようにパレット１に保管される車を分散することができる。
【００５２】
このようにして、タワー２は軽量フレーム、好ましくは軽量金属フレームでつくることができる。
【００５３】
図５及び図６に示すように、チェーンドライブ３は、２つのチェーン３ａ及び３ｂから構成され、各パレット１は、アーム３４ａ及び３４ｂに吊下げられ、それら一対のアームは、上方位置及び下方位置において、２つの互いに離隔されたスプロケットホイール３１ａ及び３１ｂの周りを回転する。
【００５４】
タワーの基部２１は、安定性を確保するに十分な深さの地中に埋められており、入出庫プラットホームは、図４に示すように地上レベルに、又は、中間レベルに設けられる。
【００５５】
この態様において、チェーンドライブ３に噛合わせてスプロケットホイール３１及び３２を回転させると、下降コラム１１’のボックス１２又は上昇コラム１１のボックス１３を、入出庫プラットホーム４の高さに持ってくることができる。図７及び図８において、使用後に車５を戻す方法を模式的に図示している。
【００５６】
ルーフカバーが設けられている戻しレーン４１は、タワー２の最下部にプラットホーム４に置かれ、タワー２の構造の基部に開く開閉ドア２２につながっている。
【００５７】
利用者が車を戻しレーン４１に駐車した後、利用者は、カードリーダ７に利用者の戻りを登録し、駐車建造物２に委託されたサービスエージェント２０が車を受け取り、チェーンドライブ３の変位によって入出庫プラットホーム４の高さに合わされている空の保管ボックス３に入れる。
【００５８】
好ましくは、車５は電気自動車又はハイブリッド自動車であり、そして、各保管ボックス１は、電源に配線されている充電ポスト２３を備えている。
【００５９】
図９に示すように、新しい利用者によって車５１が引き出され新しい車５２と入れ替えられたために、又は、別の車が駐車建造物の到着口に戻ってきて入口のボックス１２に保管されるために、車５は、チェーンドライブ３の変位の結果として駐車建造物内部を徐々に上昇してゆく。
【００６０】
各車両が、上昇コラム１１から下降コラム１１’に段段と移行してゆき、或る時間の間、タワー２内に保管された状態にあり、その間に、バッテリを再充電することができる。
【００６１】
バッテリを再充電するに必要な時間を確保できるように、各タワーにおいて用意される車の数は、予想使用頻度に適合させることができる。
【００６２】
上述したように、上昇コラム１１及び下降コラム１１’を有する立体式駐車建造物を使用することにより、２つのコラムと、それら２つのコラムの間に必要なスペースとによって決定される土地面積内に多数の車５を保管することができる。
【００６３】
更に、標準的な多床式駐車建造物に比較して、車を垂直に移動させる自動駐車建造物は、利用者が建造物の内部に入らないので、アクセスランプが不要であり、車両の高さによって決定される各床の高さの違いがない。
【００６４】
従って、図２から図５に示すように、従来の駐車建造物において必要な土地面積に比較して１／３から１／４の少ない土地面積に１５台から２０台又はそれ以上の車を駐車させることができる。実際、駐車可能な車の数は、駐車建造物の高さと、駐車建造物に利用可能な土地面積とにのみ関係する。
【００６５】
実際問題として、標準的な多床式駐車建造物が、車両１台当たり２５平方メートルの土地面積を占領するのに対して、高さ３０メートルのタワー内に２つのコラムを有する立体式駐車建造物は、幅及び奥行きそれぞれ１０メートル子か占有せず、車庫面積を最小にでき、例えば、保管車両１台当たり３から５平方メートルの土地面積で済む。
【００６６】
この形式の車庫を利用することにより、車庫の占有土地面積を減少でき、都市中心部でも、例えば１５台から３０台又はそれ以上の沢山の車を収容できるような沢山の自動化駐車建造物を実現でき、公共交通機関の乗換え駅に立つ利用者は、利用可能な車を発見できる。
【００６７】
車を収容したボックスを増分的に垂直に移動させることにより、戻された車をボックスに入庫した後、そのボックスを空のボックス１２と直ぐに替えることができ、更に、利用者が車５１を出した後、未だ利用者が決まっていない新しい車を出口スペース１３に直ぐに置くことができる。
【００６８】
この方法により、立体式駐車建造物は、車の利用者に利用可能にすべき車のための条件の全てに応えることができ、路線を乗換えるときに必要な移動と同程度の徒歩移動及び待ち時間で、乗換駅に近くで自動車を調達又は返却できることが各利用者に保障された、公共交通機関網の本当の補完手段を構成する。
【００６９】
この点に関して、利用者のために予め用意される車両の大きな数並びに予測される利用頻度により、車両が公共交通機関網の補完手段になることを考えるならば、代理人に各駐車建造物を委ねて、車両のピックアップ及び返却のための動作を監督させることは費用的に効果的であろう。そして、処理をより速くするために、代理人なしの完全に自動化したシステムも考えられる。
【００７０】
図１０及び図１１は、利用者の車両利用証を駐車建造物出口２２’に置かれたカ−ドリーダ７１に提示して、依頼者であることが確認された新規な利用者によって車がピックアップされることを模式的に図解している。
【００７１】
サービスエージェント２０又は自動化システムは、入出庫プラットホーム４の位置に予め置かれた車両５１を前進させて、車両ピックアップゾーン４２に位置させる。
【００７２】
必要ならば、サービスエージェントが任意の必要な確認をした後、利用者は車をスタートさせて利用者自信の旅程を行い、同一駐車建造物又は都市内の別の場所の他の駐車建造物に車を戻す。
【００７３】
上述したように、同一の個人化車両利用証は、車をピックアップ又は戻すためにどのような駐車建造物への入場許可証と、車の鍵の開錠及び施錠を制御すする手段と、どのような車の始動手段と、使用時間又は結果的には走行距離に基づく車利用料の支払い手段とを同時に構成させることもできる。
【００７４】
更に別の利点として、車両利用証は、秘密コード付きのスマートカードとして構成することもでき、利用者の秘密コードをログインした後に、カードの保有者が、車を予約し、使用に対する支払いするために必要な全操作を遂行することができる。
【００７５】
スマートカードは、入出庫プラットホームが安全な領域であるならば、入出庫プラットホームに入ることを許可し、駐車建造物の入口端末７又は出口７１でスマートカードを提示することによって、その保有者が認識される。
【００７６】
図１３に示されるように、利用者は、リーダ８１にスマートカード８を挿入して、車を開錠して車をスタートさせるためにキーボード８２に利用者のコードを入力することができる。
【００７７】
車が動き出したならば、又は、カードが出口端末７１のカードリーダに挿入されたならば、カウンタ８３はカウントを開始し、車が戻されてカードが入口端末７に挿入されたならば、カウンタ８３はカウントを停止する。
【００７８】
公共輸送機関に対する補完手段としての車の利用を容易にするために、利用者が取得したカードは、所定の期間の間、都市区域の所定の領域全体に亘って公共輸送機関網を利用するパスを更に構成することができる。インターネットにリンクされる各利用者の携帯電話により、各利用者が車両の予約及び車の起動を認可する個人のコードを得るようにもできる。
【００７９】
２つの良くバランスが取って重ねられたコラムに車両を保管することにより、駐車建造物は、比較的安い、そして、限られたスペースしか占有しない相当軽量な建造物として構成することができる。
【００８０】
更に、正常なサービスの間、駐車建造物に入る人はおらず、従って、床板は必要なく、喚起通気システムは単純化することができることは注目されたい。
【００８１】
図１２に示されるように、駐車建造物は、例えば、橋塔の建設のために使われる穴開け技術によって、地中に様々な深さに埋め込むことができる。
【００８２】
都市内の駐車建造物の配置、及び当然として、土地の状態の性質に従い、埋め込み部分２１と地上部分２４の相対的な高さを変えることできる。
【００８３】
このような特徴により、都心中心部に沢山の駐車建造物を容易に配置することができる。
【００８４】
当然、本発明は、一例としてのみ上述した実施例の詳細に限定されるものではなく、例えば均等な手段を使用している全ての変形例を含むものである。
【００８５】
例えば、システムが頻繁に利用されることが予想できる場合、例えば、幅１５〜１６メートルのスペースに４０台以上の車を収容できる図１４に模式的に示すような２プラットホームのシステム、又は、幅及び奥行きが１５メートルのスペースに８０台以上の車を収容できる図１５に模式的に示すような４プラットホームのシステムのようなより大きな寸法の駐車建造物をつくることも可能である。
【００８６】
更には、ガス放出による都市の汚染を減らすために電気自動車又はハイブリッド自動車を使用することが好ましい。しかし、自動化駐車建造物内の車両の移動には、車を走らせるためのエンジンは必要ないので、システムは更に、普通のガソリン車にも適用できる。
【００８７】
更に、駐車建造物の大きさを最小にするために同一車両又はコンパクトカーを使用すると特に利点がある。しかし、駐車建造物の寸法特徴に合った寸法特徴を有する様々な異なる形式の車両を使用することも可能である。
【００８８】
多数の利用者による利用を容易にする一方で、利用者がそれらの自家用車の使用を避けることを促すために、異なる形式の車両の中から、殆どスペースを取らない車両、例えば大きい手荷物スペースを有する２人乗りの車、又は４人乗りの車、又は、手荷物又は他の物を容易に載せることができるピックアップ型の車を選択することも可能である。
【００８９】
駐車建造物のコラム１１、１１’に沿って異なる形式の車を分散させて、委託された代理人の制御により又は自動化システムの適用により、利用者が選択した車が出口レーンに位置付けられるようにできる。
【００９０】
旅程が完全に自由自在である一方、車両を利用した時間の長さに応じて請求されるので、利用者は、例えば都心と郊外との間の、又は大都会の周りの衛星都市の間の長い距離の行程を移動することできることも注目されたい。
【００９１】
従って、駐車建造物Ｔ６は、ローカル輸送路線Ｒ１の駅Ｇ３の近くに置かれてもよい。又、駐車建造物Ｔ７は、都市からの比較的大きい距離にある空港Ｇ４の近くに置かれてもよい。
【００９２】
しかし、地価が自動化駐車建造物の建設を正当化しない場合でも、都市内に位置する駐車建造物内に置かれた車両の形式と同一形式の或る数の車両を地上駐車で利用者の利用に供することもできる。なぜならば、これら車両はどれでも、車両利用証、又はスマートカード、又は個人化アクセスコードを与えるインターネット・コネクションによって、鍵を開けて運転することができるためである。
【００９３】
この場合、飛行機で到着した利用者のために、空港Ｇ４に近い駐車建造物Ｔ７で自動車をピックアップして、利用者が望むように自由に移動して、その後、駐車建造物Ｔ６に車を戻して、ローカル輸送網の路線Ｒ１に乗ることもできる。
【００９４】
更に、図１６に模式的に図解するように、駐車建造物のために必要とされる床面積が最小であることにより、都市区域の中心部のまわりに沢山の駐車建造物を分散して建設することが可能である。
【００９５】
図１６において、複数のローカル輸送路線Ｒ１、Ｒ２、Ｒ３、Ｒ４及び郊外間輸送路線Ｒ５を図示した。収容容量が大きな地上駐車場Ａ１、Ａ２、．．．が各路線の終点に設けられ、遠方からの利用者が利用者の自家用車を駐車することができ、一方、自動車のための自動化駐車建造物Ｔ’１、Ｔ’２、．．．は、終点で予測される使用頻度に適した容量を有している。
【００９６】
この態様では、遠方の都市から来た利用者が、利用者の自家用車を駐車場Ａ１に残し、都心に向か路線Ｒ１に乗車するか、又は、駐車建造物Ｔ’１の自動車を利用して郊外の任意の場所に行くことができ、その場所において、利用者は、車を預けることができる別の駐車建造物Ｔ’５を見付けることができ、従って、帰りの旅程のために、利用者は、別の自動車を直ぐに得ることができ、駐車場Ａ１に戻ることができる。
【００９７】
更に、郊外、例えばＰ’１に在住しており、他の郊外、例えばＰ’２へ行きたい人は、その人の居住地に近い駐車建造物Ｔ’５で車をピックアップして、公共交通機関の駅Ｓ６に行き、その駅に近い駐車建造物Ｔ’６に車を置き、公共交通機関を利用して駅Ｓ７に行き、その駅に近い駐車建造物Ｔ’７で別の車をピックアップして、目的地近くの駐車建造物Ｔ’８に車を戻すことができる。
【００９８】
充分な数の自動化駐車建造物が或る領域全体に亘って分散配置されているならば、移動時間を短縮できる移動方法を利用者が選択できる沢山の可能性があることは理解できよう。
【００９９】
従って、ローカル路線（領域輸送路線）の間の乗換えが都市区域の中心部のみ通常確保されている場合、公共交通機関網を補完する本発明による共用システムにより、駐車建造物を備えている駅で第１の路線Ｒ１から降車して、自動車をピックアップして、駐車建造物を備えている駅で第２の路線Ｒ１に接続し、その車を駐車建造物してから路線Ｒ４に乗車することができ、都市中心部まで行くことなく乗換えができる。
【図面の簡単な説明】
【０１００】
【図１】本発明による輸送システムを備えている町の全体図である。
【図２】自動化ガレージの正面図である。
【図３】自動化ガレージの側面図である。
【図４】車両を収容するための機構の横断面図である。
【図５】車両を収容するための機構の水平断面図である。
【図６】車両を収容するための機構の機能を斜視図で模式的に図示している。
【図７】駐車建造物において、使用後の戻された車両を側面から模式的に図示している。
【図８】駐車建造物において、使用後の戻された車両を上から模式的に図示している。
【図９】車両が収容されている駐車建造物の部分立面図である。
【図１０】車両を借り出す利用者を側面図で模式的に図示している。
【図１１】車両を借り出す利用者を上から模式的に図示している。
【図１２】駐車建造物の様々な配置態様を図示している。
【図１３】支払システムを模式的に図解している。
【図１４】２つの可能な実現方法の一方の水平断面図を図示している。
【図１５】２つの可能な実現方法の他方の水平断面図を図示している。
【図１６】郊外又は新しい都市に囲まれている主要都市に本発明の適用した例を図解している。
【図１】
0005122487.tif 000002
【図２】
0005122487.tif 000003
【図３】
0005122487.tif 000004
【図４】
0005122487.tif 000005
【図５】
0005122487.tif 000006
【図６】
0005122487.tif 000007
【図７】
0005122487.tif 000008
【図８】
0005122487.tif 000009
【図９】
0005122487.tif 000010
【図１０】
0005122487.tif 000011
【図１１】
0005122487.tif 000012
【図１２】
0005122487.tif 000013
【図１３】
0005122487.tif 000014
【図１４】
0005122487.tif 000015
【図１５】
0005122487.tif 000016
【図１６】
0005122487.tif 000017